(57)【要約】      （修正有）【課題】減圧行程で自動的にドアロックを解除する低圧室気密扉の提供。【解決手段】気密状態とした低圧室１は、減圧ポンプ（図示せず）を起動して減圧行程に入ると、低圧室１の圧力が徐々に低下し、該気密扉４には大気圧が作用し気密扉４の外周に配してあるパッキン２６は徐々に押し潰されていく。それに伴って、カムフォロワー２３と傾斜金具２７とでドアロック状態にあった気密扉４も筐体フランジ２５側に引き寄せられることによってカムフォロワー２３と傾斜金具２７との間に隙間が生じる。こうすると傾斜状態にあったレバー１８は傾斜状態を維持することができなくなり自重により鉛直下方に向かってゆっくりと回転し、アーム２０に緊結してあるカムフォロワー２３は傾斜金具２７から離脱することになり、気密扉４のドアロックは自動的に解除されることになる。【選択図】図５
0003120253.tif 000002
【実用新案登録請求の範囲】
【請求項１】
筐体及びドアプレートで構成し、且つ、該筐体と該ドアプレートをパッキンで気密する低圧室において、該ドアプレートを貫通するシャフトを該ドアプレートの内外何れか一方又は両方に軸受け及び軸封機構を設け、且つ、該シャフト両端又は外側の一端にレバーを緊結し、該ドアプレートの内側に該筐体と該ドアプレートを気密するための車輪付きアーム及び傾斜板を設けてなるドア気密機構において、該低圧室を減圧する行程で該レバーの自重により自動的にドアロックを解除することを特徴とする低圧室気密扉。
【考案の詳細な説明】
【技術分野】
【０００１】近年、高地環境における人の生理的意義の研究が盛んになってきた。本考案は、高地の気圧環境を平地で実現するための低圧室の気密扉に関するものである。
【背景技術】
【０００２】  （特許実用新案文献１）  従来、特公平２−４２９９２に運動用気密室、実開平２−１１８５７１にトレーニング用加減圧カプセル、また特開平８−１１２３７３においては疑似高地トレーニングを想定した減圧訓練施設、特開平１１−３３６３７３においては運動選手が長期間滞在できる減圧施設、特許２９１９１１１号及び特開２０００−５４６６６においては地下又は半地下に設置された運動用大規模減圧訓練施設、が提案されているが、いずれの提案も施設全体の構造に関するものであり、低圧室の気密扉の具体的記述はなかった。
（非特許実用新案文献１）  従来、インターネット上ではドクター・フィル・マフェトンのハイポバーリクチャンバー即ち低圧室に関する文献が公知であるが、低圧室のもたらす効果については記述されているものの、低圧室気密扉の具体的機構の説明がなされていないところに大きな欠点があった。
【考案の開示】
【考案が解決しようとする課題】
【０００３】従来の低圧室気密扉では、退室の度にドアロックを解除しなければならなかったものを、本考案の低圧室気密扉は、減圧行程で自動的にドアロックを解除しようとするものである。
【課題を解決するための手段】
【０００４】従来の低圧室気密扉では、該低圧室から退室の度にドアロックを解除しなければならなかったものを、本考案の低圧室気密扉は、減圧行程で低圧室の筐体と気密扉の間に配してあるパッキンが外圧により圧縮変形し、ドアロック機構にかかる荷重が無負荷状態になったときに、ドアロック機構のレバーの自重によりドアロックを自動的に解除せしめる低圧室気密扉であることを特徴とする。
【考案の効果】
【０００５】本考案によって、低圧室入室者は該低圧室を退室するときに、いちいちドアロックを解除する必要がなくなり、また低圧室製作者もドアロックを解除するための特別の自動化が必要なくなり、低圧室の製作コスト縮減を図ることができるので入室者の利便性のみならず省資源・省エネルギーの観点からも地球環境保全に大いに寄与することができる。
【考案を実施するための最良の形態】
【０００６】
【実施例】
【０００７】図１に低圧室の構成を説明する正面立面図を、図２に本考案を適用した低圧室気密扉のドアロック状態を説明する側面立面図を、図３に低圧室の上面平面図を、図４に本考案を適用した低圧室気密扉のドアロック解除状態を説明する側面立面図を、図５に本考案を適用した低圧室気密扉のドアロック機構を説明するＡ−Ａ断面図を、図６に本考案を適用した低圧室気密扉のドアロック機構を説明するＢ−Ｂ断面図を、それぞれ示す。【０００８】低圧室気密扉の構成について説明する。低圧室１は、エンドプレート２、筐体３及び気密扉４で構成され、該気密扉４は該筐体３に緊結したベアリングユニット５にシャフト６が回転自在に取り付けられ、該シャフト６の両端にはドアアーム７の一端が緊結され、該ドアアーム７の他端にはピンブラケット８が回転自在に取り付けられ、該ピンブラケット８には気密扉４が緊結される。【０００９】次に、低圧室気密扉の気密方法について説明する。気密扉４には気密扉開口部２８が設けられ、Ｏリング１１を装着したベアリングケース９がボルト１０で緊結され該気密扉４と気密をなす。該ベアリングケース９にはシャフト１２が挿入され、ベアリング１３、１４を装着し、該ベアリング１３、１４はストップリング１５、１７で固定される。又、ベアリング１３の室外側にはオイルシール１６が装着され、該ベアリングケース９と該シャフト１２との気密をなす。さらに、該シャフト１２の室外側端部にはレバー１８が緊結され、他端にはカムフォロワー２３を緊結したアーム２０が緊結される。【００１０】次に、低圧室１の気密扉４を気密するには、まず気密扉４を筐体フランジ２５まで引き寄せ、レバー１８又はアーム２０を手動で回転させてカムフォロワー２３を緊結したアーム２０を該筐体フランジ２５の内側に緊結してある傾斜金具２７に引っ掛ける。さらに、該レバー１８又は該アーム２０を回転させると該アーム２０に緊結してあるカムフォロワー２３は該傾斜金具２７に沿って回転し、該気密扉４は該筐体フランジ２５側に引き寄せられる。該気密扉４が該筐体フランジ２５側に引き寄せられると、該気密扉４の外周に配してあるパッキン２６が該筐体フランジ２５と密着して気密をなしドアロック状態となる。【００１１】次に気密扉のドアロック解除方法について説明する。上述の方法により気密状態とした低圧室１は、減圧ポンプ（図示せず）を起動して減圧行程に入ると、該低圧室１の圧力が徐々に低下し、該気密扉４には大気圧が作用し該気密扉４の外周に配してあるパッキン２６は徐々に押し潰されていく。それに伴って、カムフォロワー２３と傾斜金具２７とでドアロック状態にあった該気密扉４も該筐体フランジ２５側に引き寄せられることによって該カムフォロワー２３と該傾斜金具２７との間に隙間が生じる。こうすると傾斜状態にあったレバー１８は傾斜状態を維持することができなくなり自重により鉛直下方に向かってゆっくりと回転し、アーム２０に緊結してある該カムフォロワー２３は傾斜金具２７から離脱することになり、該気密扉４のドアロックは自動的に解除されることになる。【００１２】本考案の実施例では、高度４０００ｍ相当の設定圧力に対し、高度５００乃至６００ｍで気密扉のドアロックは自動的に解除されることを確認している。まさに、ゆっくりと音もなく解除される動作は絶妙としかいいようがない。【００１３】本考案を適用した実施例では、レバーを用いて該レバーの自重により減圧行程で気密扉のドアロックが自動的に解除するとしているが、本考案の適用範囲は必ずしもこれに限定されるものではない。レバーと同様の動作が起こるよう丸ハンドルの特定箇所に錘を緊結してもよく、非対称のハンドルを用いてもよい。
【図面の簡単な説明】
【００１４】
【図１】  低圧室の構成を説明する正面立面図である。
【図２】  本考案を適用した低圧室気密扉のドアロック状態を説明する側面立面図である。
【図３】  低圧室の上面平面図である。
【図４】  本考案を適用した低圧室気密扉のドアロック解除状態を説明する側面立面図である。
【図５】  本考案を適用した低圧室気密扉のドアロック機構を説明するＡ−Ａ断面図である。
【図６】  本考案を適用した低圧室気密扉のドアロック機構を説明するＢ−Ｂ断面図である。
【符号の説明】
【００１５】  １  低圧室                    ２  エンドプレート
３  筐体                      ４  気密扉
５  ベアリングユニット        ６  シャフト
７  ドアアーム                ８  ピンブラケット
９  ベアリングケース          １０  ボルト
１１  Ｏリング                １２  シャフト
１３  ベアリング              １４  ベアリング
１５  ストップリング          １６  オイルシール
１７  ストップリング          １８  ハンドル
１９  止めネジ                ２０  アーム
２１  ロックナット            ２２  座金
２３  カムフォロワー          ２４  気密扉フランジ
２５  筐体フランジ            ２６  パッキン
２７  傾斜金具                ２８  気密扉開口部
【図１】
0003120253.tif 000003
【図２】
0003120253.tif 000004
【図３】
0003120253.tif 000005
【図４】
0003120253.tif 000006
【図５】
0003120253.tif 000007
【図６】
0003120253.tif 000008